(57)【要約】【課題】光収納箱に特別な電源を供給することなく光収納箱の浸水の有無を検知すること。【解決手段】光ケーブルの接続部を収納する光収納箱１０が浸水しているか否かを検知する光収納箱浸水検知システム１は、光収納箱１０の下部に防水加工された状態で設けられ、水に吸収される性質を有する電波によりタグ情報を送信するＲＦＩＤタグ１１と、ＲＦＩＤタグ１１から発せられた電波を受信してタグ情報を取得するＲＦＩＤリーダ２０と、ＲＦＩＤリーダ２０によりタグ情報が取得されたか否かを示す取得結果を出力する出力部２１と、を備えることを特徴とする。【選択図】図１
2009085846.tif 000002
【特許請求の範囲】
【請求項１】
光ケーブルの接続部を収納する光収納箱が浸水しているか否かを検知する光収納箱浸水検知システムであって、
前記光収納箱の下部に防水加工された状態で設けられ、水に吸収される性質を有する電波により所定の情報を送信するＲＦＩＤタグと、
前記ＲＦＩＤタグから発せられた電波を受信して前記所定の情報を取得するＲＦＩＤリーダと、
前記ＲＦＩＤリーダにより前記所定の情報が取得されたか否かを示す取得結果を出力する出力手段と、
を備えることを特徴とする光収納箱浸水検知システム。
【請求項２】
前記ＲＦＩＤタグから発せられる電波の周波数帯が２．４５ＧＨｚ又はＵＨＦ帯である、
ことを特徴とする請求項１に記載の光収納箱浸水検知システム
【請求項３】
前記ＲＦＩＤタグが、耐水性を有する樹脂を用いたインサート成形により該樹脂で被覆されたことで防水加工されている、
ことを特徴とする請求項１又は２に記載の光収納箱浸水検知システム。
【請求項４】
前記樹脂がポリフェニレンサルファイド樹脂又はアクリロニトリル−ブタジエン−スチレン樹脂である、
ことを特徴とする請求項３に記載の光収納箱浸水検知システム。
【請求項５】
前記ＲＦＩＤリーダにより受信された所定の情報を用いて、該所定の情報の送信元であるＲＦＩＤタグの情報を更新する更新手段を更に備える、
ことを特徴とする請求項１〜４のいずれか一項に記載の光収納箱浸水検知システム。
【発明の詳細な説明】
【技術分野】
【０００１】
本発明は、光ケーブル同士を接続するための光収納箱（クロージャ）が浸水しているか否かを検知する光収納箱浸水検知システムに関するものである。
【背景技術】
【０００２】
光収納箱は、下水管などに代表される地下管路の中や、き線点などに設置されることが多い。このうち、下水管など、水が流れるような場所に設置された光収納箱は、浸水する可能性が非常に高いので、地下に設置される光収納箱には防水加工が施される場合が多い。しかし、光収納箱の防水機能が、経年劣化や、光収納箱の開閉作業時の作業ミスなどにより低下し、光収納箱の内部が浸水することがある。その内部が浸水すると、収納されている光部品や接続部品などの機能が低下するおそれがある。
【０００３】
そのため、従来から光収納箱の浸水を検知する手法が用いられている。例えば、メタル線などを予め光収納箱の内部に敷設し、水が入った場合に導通することでアラームを発動させる手法が知られている（例えば下記特許文献１参照）。
【特許文献１】実開平５−３９６７号公報
【発明の開示】
【発明が解決しようとする課題】
【０００４】
しかしながら、上記のようにメタル線を用いる場合には、常時電源を供給する必要があり、設置及び稼働にコストが掛かってしまう。
【０００５】
本発明は、上記課題を解決するためになされたものであり、光収納箱に特別な電源を供給することなく光収納箱の浸水の有無を検知することが可能な光収納箱浸水検知システムを提供することを目的とする。
【課題を解決するための手段】
【０００６】
本発明の光収納箱浸水検知システムは、光ケーブルの接続部を収納する光収納箱が浸水しているか否かを検知する光収納箱浸水検知システムであって、光収納箱の下部に防水加工された状態で設けられ、水に吸収される性質を有する電波により所定の情報を送信するＲＦＩＤタグと、ＲＦＩＤタグから発せられた電波を受信して所定の情報を取得するＲＦＩＤリーダと、ＲＦＩＤリーダにより所定の情報が取得されたか否かを示す取得結果を出力する出力手段と、を備えることを特徴とする。
【０００７】
このような光収納箱浸水検知システムによれば、ＲＦＩＤ（Radio Frequency IDentification）タグから発せられる電波が水に吸収される性質を有するので、ＲＦＩＤタグに記憶されている所定の情報がＲＦＩＤリーダにより取得されたか否かを調べるだけで、光収納箱の浸水状態を簡易に検知できる。また、ＲＦＩＤタグは、ＲＦＩＤリーダから送信された電波を受けて起動するので、ＲＦＩＤタグへの電源供給が不要であり、したがって、浸水検知のために光収納箱に特別な電源を供給する必要が無い。また、ＲＦＩＤタグには防水加工が施されているので、ＲＦＩＤタグが浸水してもその機能は維持される。更に、浸水しやすい光収納箱の下部にＲＦＩＤタグが設けられるので、光収納箱の浸水をより早く検知できる。
【０００８】
本発明の光収納箱浸水検知システムでは、ＲＦＩＤタグから発せられる電波の周波数帯が２．４５ＧＨｚ又はＵＨＦ帯であることが好ましい。
【０００９】
この場合、ＲＦＩＤタグから発せられる電波の波長が短いので、電波が水に吸収され易くなる。そのため、光収納箱が浸水したか否かをより正確に判定できる。
【００１０】
本発明の光収納箱浸水検知システムでは、ＲＦＩＤタグが、耐水性を有する樹脂を用いたインサート成形により該樹脂で被覆されたことで防水加工されていることが好ましい。
【００１１】
この場合、耐水性を有する樹脂を用いたインサート成形によりＲＦＩＤタグが被覆されるので、防水用の部品の嵌め合いによりＲＦＩＤタグを覆う場合に比べて、ＲＦＩＤタグの防水機能をより高めることが可能になる。
【００１２】
本発明の光収納箱浸水検知システムでは、樹脂がポリフェニレンサルファイド樹脂又はアクリロニトリル−ブタジエン−スチレン樹脂であることが好ましい。
【００１３】
この場合、耐薬品性、耐水性に優れたポリフェニレンサルファイド樹脂（以下「ＰＰＳ樹脂」という）又はアクリロニトリル−ブタジエン−スチレン樹脂（以下「ＡＢＳ樹脂」という）によりＲＦＩＤタグが被覆されるので、ＲＦＩＤタグの防水機能をより高めることが可能になる。
【００１４】
本発明の光収納箱浸水検知システムでは、ＲＦＩＤリーダにより受信された所定の情報を用いて、該所定の情報の送信元であるＲＦＩＤタグの情報を更新する更新手段を更に備えることが好ましい。
【００１５】
この場合、ＲＦＩＤリーダにより受信された所定の情報を用いてＲＦＩＤタグの情報が更新されるので、最新の情報を用いて光収納箱の状態を管理できる。
【発明の効果】
【００１６】
このような光収納箱浸水検知システムによれば、水に吸収される性質を有する電波を発するＲＦＩＤタグを光収納箱に設け、ＲＦＩＤリーダによりそのＲＦＩＤタグから情報を取得できるか否かで光収納箱の浸水状態を判定するので、光収納箱に特別な電源を供給することなく光収納箱の浸水の有無を検知できる。
【発明を実施するための最良の形態】
【００１７】
以下、添付図面を参照しながら本発明の実施形態を詳細に説明する。なお、図面の説明において同一又は同等の要素には同一の符号を付し、重複する説明を省略する。
【００１８】
まず、図１及び２を用いて、実施形態に係る光収納箱浸水検知システム１の構成を説明する。図１は、光収納箱浸水検知システム１の機能構成を示す図である。図２は、図１に示す光収納箱１０の模式図である。
【００１９】
光収納箱浸水検知システム１は、光収納箱（クロージャ）１０に備えられたＲＦＩＤ（Radio Frequency IDentification）タグ１１、ＲＦＩＤリーダ２０及び管理システム３０を備えている。
【００２０】
光収納箱１０は、光ケーブル同士を接続する接続モジュール（図示せず）を収納するための、箱型の筐体である。この光収納箱１０は、下水管等の地下管路の内壁に設置されている。
【００２１】
ＲＦＩＤタグ１１は、後述するＲＦＩＤリーダ２０から送信された電波を受けて起動し、無線通信によりＲＦＩＤリーダ２０に情報を送信する電子部品である。ＲＦＩＤタグ１１から発せられる電波の周波数帯は２．４５ＧＨｚ又はＵＨＦ帯（８６０〜９６０ＭＨｚ）であるのが好ましい。このような周波数帯の電波の波長は短く、水中で吸収される。
【００２２】
ＲＦＩＤタグ１１は、光収納箱１０を識別する識別情報と、光収納箱１０の設置場所や接続形態などの属性情報とを含むタグ情報を記憶している。なお、ＲＦＩＤタグ１１に記憶させる情報の内容は限定されず、属性情報として任意の情報をＲＦＩＤタグ１１に記憶させてよい。
【００２３】
ＲＦＩＤタグ１１は、耐水性を有する樹脂を用いたインサート成形により、その樹脂で全面が被覆されている。これは、ＲＦＩＤタグ１１がシリコン基板を有しており、そのままでは水が付着すると破損するおそれがあるからである。ＲＦＩＤタグ１１を被覆する樹脂は、耐薬品性、耐水性に優れたＰＰＳ樹脂やＡＢＳ樹脂であることが好ましい。
【００２４】
このＲＦＩＤタグ１１は、図２に示すように、光収納箱１０が管路内に設置された際に光収納箱１０の内側下部又は外側下部に位置するように設けられている。これは、浸水をより早く検知するためである。図２の例では、ＲＦＩＤタグ１１は、光収納箱１０の下面内側と一側面の外側の下部に設けられている。なお、光収納箱１０に取り付けられるＲＦＩＤタグ１１の個数は限定されず、例えば、ＲＦＩＤタグ１１を１つのみ取り付けてもよいし４つ取り付けてもよい。
【００２５】
ＲＦＩＤリーダ２０は、ＲＦＩＤタグ１１との間で無線通信を行うことで、ＲＦＩＤタグ１１に記憶されている情報を受信する機器である。ＲＦＩＤリーダ２０は、ＲＦＩＤタグ１１から受信した電波を復調することでタグ情報を取得し、取得した情報を自機内のメモリに記憶する。そしてＲＦＩＤリーダ２０は、記憶した情報を管理システム３０に送信する。なお、ＲＦＩＤリーダ２０と管理システム３０との間の通信方法は限定されず、無線と有線のいずれを利用してもよい。
【００２６】
ＲＦＩＤリーダ２０は、出力部（出力手段）２１を備えている。出力部２１は、タグ情報が取得されたか否かを示す取得結果を出力する手段である。取得結果の出力方法は限定されない。例えば、出力部２１は、ブザーやランプ、テキスト表示（例えば「情報を読み取りました」などのメッセージの表示）などにより取得結果を出力できる。タグ情報が取得された場合は、ＲＦＩＤタグ１１からの電波が水に吸収されることなくＲＦＩＤリーダ２０により受信されたということなので、ＲＦＩＤリーダ２０の使用者は、光収納箱１０が浸水していないことを把握できる。これに対し、タグ情報が取得されなかった場合は、ＲＦＩＤタグ１１とＲＦＩＤリーダ２０との間を伝わる電波が水に吸収されたということなので、ＲＦＩＤリーダ２０の使用者は、光収納箱１０が浸水していることを把握できる。
【００２７】
管理システム３０は、ＲＦＩＤリーダ２０により受信されたタグ情報を用いて、ＲＦＩＤタグ１１の情報を更新する手段である。管理システム３０は、機能的構成要素として、受信部３１、記憶部（更新手段）３２及び表示部３３を備えている。
【００２８】
受信部３１は、ＲＦＩＤリーダ２０からタグ情報を受信する手段である。受信部３１は、受信したタグ情報を記憶部３２に出力する。
【００２９】
記憶部３２は、受信部３１から入力されたタグ情報を記憶する手段である。入力された識別情報を含むタグ情報が既に記憶されている場合には、記憶部３２は、入力されたタグ情報で上書き更新する。
【００３０】
表示部３３は、記憶部３２に記憶されているタグ情報を表示する手段である。表示部３３は、図示しない入力インタフェースを介して入力された表示指示に応じて、記憶部３２に記憶されているタグ情報を読み出し、読み出したタグ情報をそのまま、あるいは加工して表示する。これにより、管理システム３０のユーザは、光収納箱１０の状態を把握して必要な対応（回収など）を取ることができる。
【００３１】
次に、図３を用いて、図１に示す光収納箱浸水検知システム１の処理を説明する。図３は、光収納箱浸水検知システム１の処理を示すシーケンス図である。
【００３２】
まず、ユーザがＲＦＩＤリーダ２０をＲＦＩＤタグ１１に近づけると、ＲＦＩＤリーダ２０とＲＦＩＤタグ１１との間で無線通信が行われる（ステップＳ１１）。続いて、ＲＦＩＤリーダ２０において、この無線通信によりタグ情報が取得されたか否かを示す取得結果が出力される（ステップＳ１２）。これにより、ユーザは、光収納箱１０の浸水状態を知ることができる。
【００３３】
このとき、タグ情報が取得されなければ（ステップＳ１３；ＮＯ）処理が終了するが、タグ情報が取得された場合には（ステップＳ１３；ＹＥＳ）、ＲＦＩＤリーダ２０から管理システム３０に取得されたタグ情報が送信される（ステップＳ１４）。その後、管理システム３０においてタグ情報が更新され（ステップＳ１５）、更新されたタグ情報が表示部３３を介して表示される（ステップＳ１６）。これにより、ユーザは、光収納箱１０の現況を知ることができる。
【００３４】
以上説明したように、本実施形態によれば、ＲＦＩＤタグ１１から発せられる電波が水に吸収される性質を有するので、ＲＦＩＤタグ１１に記憶されている所定の情報がＲＦＩＤリーダ２０により取得されたか否かを調べるだけで、光収納箱の浸水状態を簡易に検知できる。また、ＲＦＩＤタグ１１に常時電源を供給する必要がないので、浸水検知のために光収納箱１０に特別な電源を供給することなく光収納箱１０の浸水の有無を検知できる。また、ＲＦＩＤタグ１１には防水加工が施されているので、ＲＦＩＤタグ１１が浸水してもその機能は維持される。更に、浸水しやすい光収納箱１０の下部にＲＦＩＤタグ１１が設けられているので、光収納箱１０の浸水をより早く検知できる。
【００３５】
また、本実施形態によれば、ＲＦＩＤタグ１１から発せられる電波の波長が短いので、電波が水に吸収され易くなる。そのため、光収納箱１０が浸水したか否かをより正確に判定できる。
【００３６】
また、本実施形態によれば、耐水性を有する樹脂を用いたインサート成形によりＲＦＩＤタグ１１が被覆されるので、防水用の部品の嵌め合いによりＲＦＩＤタグ１１を覆う場合に比べて、ＲＦＩＤタグ１１の防水機能をより高めることが可能になる。特に、本実施形態では、耐薬品性、耐水性に優れたＰＰＳ樹脂又はＡＢＳ樹脂によりＲＦＩＤタグ１１が被覆されるので、ＲＦＩＤタグ１１は高い防水機能を有する。
【００３７】
また、本実施形態によれば、ＲＦＩＤリーダ２０により受信されたタグ情報を用いてＲＦＩＤタグ１１の情報が更新されるので、最新の情報を用いて光収納箱１０の状態を管理できる。
【００３８】
以上、本発明をその実施形態に基づいて詳細に説明した。しかし、本発明は上記実施形態に限定されるものではない。本発明は、その要旨を逸脱しない範囲で以下のような様々な変形が可能である。
【００３９】
上記実施形態では、ＲＦＩＤリーダ２０がタグ情報の取得結果を出力したが、管理システム３０が出力部２１と同等の機能を備えることで、管理システム３０がタグ情報の取得結果を出力してもよい。また、ＲＦＩＤリーダ２０及び管理システム３０双方の機能を一つの情報処理機器に備えてもよい。
【００４０】
上記実施形態では、管理システム３０がタグ情報を記憶し表示したが、管理システム３０を備えることなく、ＲＦＩＤタグ１１及びＲＦＩＤリーダ２０のみで光収納箱浸水検知システムを構成してもよい。
【図面の簡単な説明】
【００４１】
【図１】実施形態に係る光収納箱浸水検知システムの機能構成を示す図である。
【図２】図１に示す光収納箱の模式図である。
【図３】図１に示す光収納箱浸水検知システムの処理を示すシーケンス図である。
【符号の説明】
【００４２】
１…光収納箱浸水検知システム、１０…光収納箱、１１…ＲＦＩＤタグ、２０…ＲＦＩＤリーダ、２１…出力部（出力手段）、３０…管理システム、３１…受信部、３２…記憶部（更新手段）、３３…表示部
【図１】
2009085846.tif 000003
【図２】
2009085846.tif 000004
【図３】
2009085846.tif 000005